(57)【特許請求の範囲】
【請求項１】
絶縁体層と導体層とを積層してなる回路基板と、
回路基板に実装され高周波信号の送信処理及び受信処理を行う高周波ＩＣと、
回路基板に実装され高周波ＩＣからの送信信号を増幅するパワーアンプＩＣと、
パワーアンプＩＣからアンテナへ出力される送信信号とアンテナから高周波ＩＣに入力される受信信号とを分離するデュプレクサとを備え、
前記回路基板には、パワーアンプＩＣにより増幅された送信信号をデュプレクサに伝送する第１信号線と、高周波ＩＣから出力された増幅前の送信信号をパワーアンプＩＣに伝送する第２信号線が形成され、且つ、第１信号線は第２信号線よりも配線長が短く形成されている
ことを特徴とする高周波回路モジュール。
【請求項２】
前記回路基板には、デュプレクサから高周波ＩＣへ受信信号を伝送する第３信号線が形成され、第３信号線は第２信号線よりも配線長が短く形成されている
ことを特徴とする請求項１記載の高周波モジュール。
【請求項３】
絶縁体層と導体層とを積層してなる回路基板と、
回路基板に実装され高周波信号の送信処理及び受信処理を行う高周波ＩＣと、
回路基板に実装され高周波ＩＣからの送信信号を増幅するパワーアンプＩＣと、
パワーアンプＩＣからアンテナへ出力される送信信号とアンテナから高周波ＩＣに入力される受信信号とを分離するデュプレクサとを備え、
前記回路基板には、高周波ＩＣから出力された増幅前の送信信号をパワーアンプＩＣに伝送する第２信号線と、デュプレクサから高周波ＩＣへ受信信号を伝送する第３信号線が形成され、且つ、第３信号線は第２信号線よりも配線長が短く形成されている
ことを特徴とする高周波回路モジュール。
【請求項４】
前記回路基板は、他の導体層より厚みが大きく且つグランドとして機能する導体層であるコア層と、底面に形成されたグランド電極と、パワーアンプＩＣの下面とコア層を接続する放熱用の第１ビア導体と、グランド電極とコア層を接続する放熱用の第２ビア導体とを備えた
ことを特徴とする請求項１乃至３何れか１項記載の高周波回路モジュール。
【請求項５】
デュプレクサは回路基板内に埋設されている
ことを特徴とする請求項１乃至４何れか１項記載の高周波回路モジュール。
【請求項６】
デュプレクサは回路基板のコア層に形成された貫通孔又は凹部内に配置されている
ことを特徴とする請求項４記載の高周波回路モジュール。
【請求項７】
デュプレクサは、パワーアンプＩＣからアンテナへ出力される送信信号を濾過する送信フィルタとアンテナから高周波ＩＣに入力される受信信号を濾過する受信フィルタとを有するとともに、
送信フィルタ及び受信フィルタは、コア層に形成された貫通孔又は凹部内にそれぞれ個別に配置されている
ことを特徴とする請求項６記載の高周波回路モジュール。
【請求項８】
デュプレクサは回路基板上に実装されている
ことを特徴とする請求項１乃至４何れか１項記載の高周波回路モジュール。
【発明の詳細な説明】
【技術分野】
【０００１】
本発明は、高周波ＩＣ・パワーアンプＩＣ・デュプレクサが回路基板に実装された高周波回路モジュールに関し、特に各部品の配置構造に関する。
【背景技術】
【０００２】
近年、所謂スマートフォンと呼ばれる多機能携帯電話に代表されるように携帯電話の多機能化及び小型化が図られている。このような携帯電話では、高周波信号の送受信に必要な各種部品を回路基板に実装した高周波回路モジュールがマザーボードに搭載されている（例えば特許文献１参照）。特許文献１に記載の高周波回路モジュールは、回路基板上に、高周波信号の送信処理及び受信処理を行う高周波ＩＣ、送信信号を電力するパワーアンプＩＣ、送信フィルタ、受信フィルタ、高周波スイッチなどが搭載されている。パワーアンプＩＣの出力信号は順に送信用マッチング回路・送信フィルタ・高周波スイッチを介してアンテナから送信される。一方、アンテナからの受信信号は順に高周波スイッチ・受信フィルタ・受信用マッチング回路を介して高周波ＩＣに入力される。ここで、高周波ＩＣから高周波スイッチまでの送信信号が通過する信号線と、高周波スイッチから高周波ＩＣまでの受信信号が通過する信号線とは、互いに交差せず且つ近接しないように回路基板上に形成されている。また、特許文献２には、Ｗ−ＣＤＭＡのＲＦ送信信号を扱う回路系と、Ｗ−ＣＤＭＡのＲＦ受信信号を扱う受信回路との最短距離間にＷ−ＣＤＭＡの動作とは無関係な回路であるＧＳＭ方式の回路系を配置することにより、Ｗ−ＣＤＭＡの送信回路と受信回路の信号干渉の低減が可能なマルチモード高周波回路が記載されている。
【先行技術文献】
【特許文献】
【０００３】
【特許文献１】特開２００５−１９８０５１号公報
【特許文献２】特開２００６−３４０２５７号公報
【発明の概要】
【発明が解決しようとする課題】
【０００４】
しかし、従来技術では近年の更なる小型化・高密度化の要求に対応するには限界があった。特許文献１に記載の構成では、パワーアンプＩＣは高周波ＩＣの直近に配置されているため、小型化・高密度化に伴い受信信号用の信号線がパワーアンプＩＣの近傍を通過することになる。これにより、パワーアンプＩＣで発生するノイズや漏洩信号が高周波ＩＣの受信回路に混入してしまうという問題があった。特許文献２に記載の構成では、第１の通信方式であるＷ−ＣＤＭＡのブロックを確認するとパワーアンプＩＣにあたるＷ−ＰＡ−ＩＣ（１２１）は高周波ＩＣ（３１０）から離れているが、デュプレクサ（１００）が高周波ＩＣ（３１０）から離れているので、デュプレクサ（１００）を通過した受信信号にパワーアンプＩＣで発生するノイズや漏洩信号等が高周波ＩＣの受信回路に混入してしまうという問題があった。
【０００５】
本発明は、上記事情に鑑みてなされたものであり、その目的とするところは、実装密度が高い高周波回路モジュールを提供することにある。
【課題を解決するための手段】
【０００６】
上記目的を達成するために、本願発明に係る高周波回路モジュールは、絶縁体層と導体層とを交互に積層してなる回路基板と、回路基板に実装され高周波信号の送信処理及び受信処理を行う高周波ＩＣと、回路基板に実装され高周波ＩＣからの送信信号を増幅するパワーアンプＩＣと、パワーアンプＩＣからアンテナへ出力される送信信号とアンテナから高周波ＩＣに入力される受信信号とを分離するデュプレクサとを備え、高周波ＩＣ及びパワーアンプＩＣの何れか一方又は双方は回路基板内に埋設され、且つ、回路基板を上面から透過してみるとデュプレクサは高周波ＩＣとパワーアンプＩＣとの間に配置されていることを特徴とする。
【０００７】
本発明によれば、デュプレクサから高周波ＩＣへ受信信号を入力するための信号線がパワーアンプＩＣの近傍に位置することがない。またデュプレクサから高周波ＩＣへ受信信号を入力するための信号線の長さを短くすることができる。これにより、高周波ＩＣの受信回路へのノイズの混入を防止しつつ小型化・高密度化を図ることが容易となる。なお高周波ＩＣからの出力される送信信号はデュプレクサ近傍を通過してパワーアンプＩＣに入力される。しかし当該送信信号は電力増幅前であるためデュプレクサや他の回路等への影響は極めて小さい。一方、パワーアンプＩＣとデュプレクサとは近接しているので電力増幅後の送信信号を伝送する信号線の長さを短くすることができる。つまり、パワーアンプＩＣにより増幅された信号をデュプレクサに伝送する信号線は、高周波ＩＣから出力された増幅前の信号を伝送する信号線より短くすることができる。これにより電力損失や放射ノイズを小さくすることができる。なお、デュプレクサは回路基板上に実装しても回路基板内に埋設するようにしてもよい。
【０００８】
本発明の好適な態様の一例としては、回路基板底面にはグランド電極が形成されており、パワーアンプＩＣは回路基板内に埋設されており、パワーアンプＩＣの放熱用電極はビア導体を介して回路基板底面のグランド電極に接続されていることを特徴とするものが挙げられる。本発明によれば、パワーアンプＩＣの放熱用電極と回路基板底面に形成したグランド電極間の距離を小さくすることができるので、放熱効率が向上する。
【０００９】
また本発明の好適な態様の一例としては、前記回路基板は他の導体層より厚みが大きく且つグランドとして機能する導体層であるコア層を含み、前記高周波ＩＣ及びパワーアンプＩＣの何れか一方又は双方は前記コア層に形成した貫通孔又は凹部内に配置されていることを特徴とするものが挙げられる。本発明によれば、コア層により高周波ＩＣ及びパワーアンプＩＣのシールド性及び放熱性が向上する。
【００１０】
また本願発明に係る高周波回路モジュールは、絶縁体層と導体層とを交互に積層してなる回路基板と、回路基板の一方の面に実装されたパワーアンプＩＣとを備え、前記回路基板は、回路基板の他方の面であって且つ前記パワーアンプＩＣを回路基板の厚み方向に投影した領域に形成された端子電極と、回路基板の他方の面に形成されたグランド電極と、パワーアンプＩＣの端子と回路基板内の導体層とを接続する放熱用の第１ビア導体と、前記導体層とグランド電極とを接続する放熱用の第２ビア導体を備えたことを特徴とする。
【００１１】
本発明によれば、パワーアンプＩＣで発生した熱は第１ビア導体により回路基板の厚み方向に伝導し、導体層に沿って左右方向に電動する。導体層の熱は第２ビア導体により回路基板のグランド電極に伝導し、実装先の親回路基板に放熱される。これにより、パワーアンプＩＣを回路基板の周縁部に配置しても、該パワーアンプＩＣで発生する熱を放熱用の第１ビア導体及び第２ビア導体並びに導体層を介して親回路基板に放熱することができる。
【００１２】
また本願発明に係る高周波回路モジュールは、絶縁体層と導体層とを積層してなる回路基板と、回路基板に実装され高周波信号の送信処理及び受信処理を行う高周波ＩＣと、回路基板に実装され高周波ＩＣからの送信信号を増幅するパワーアンプＩＣと、パワーアンプＩＣからアンテナへ出力される送信信号とアンテナから高周波ＩＣに入力される受信信号とを分離するデュプレクサとを備え、前記回路基板には、パワーアンプＩＣにより増幅された送信信号をデュプレクサに伝送する第１信号線と、高周波ＩＣから出力された増幅前の送信信号をパワーアンプＩＣに伝送する第２信号線が形成され、且つ、第１信号線は第２信号線よりも配線長が短く形成されていることを特徴とする。
【００１３】
本発明によれば、パワーアンプＩＣにより増幅された送信信号をデュプレクサに伝送する第１信号線が、高周波ＩＣから出力された増幅前の送信信号をパワーアンプＩＣに伝送する第２信号線よりも短いので、高周波ＩＣの受信回路へのノイズの混入を防止しつつ小型化・高密度化を図ることが容易となるとともに、電力損失や放射ノイズを小さくすることができる。
【００１４】
また本願発明に係る高周波回路モジュールは、絶縁体層と導体層とを積層してなる回路基板と、回路基板に実装され高周波信号の送信処理及び受信処理を行う高周波ＩＣと、回路基板に実装され高周波ＩＣからの送信信号を増幅するパワーアンプＩＣと、パワーアンプＩＣからアンテナへ出力される送信信号とアンテナから高周波ＩＣに入力される受信信号とを分離するデュプレクサとを備え、前記回路基板には、高周波ＩＣから出力された増幅前の送信信号をパワーアンプＩＣに伝送する第２信号線と、デュプレクサから高周波ＩＣへ受信信号を伝送する第３信号線が形成され、且つ、第３信号線は第２信号線よりも配線長が短く形成されていることを特徴とする。
【００１５】
本発明によれば、デュプレクサから高周波ＩＣへ受信信号を伝送する第３信号線が、高周波ＩＣから出力された増幅前の送信信号をパワーアンプＩＣに伝送する第２信号線よりも短いので、高周波ＩＣの受信回路へのノイズの混入を防止しつつ小型化・高密度化を図ることが容易となる。
【発明の効果】
【００１６】
以上説明したように本発明によれば、デュプレクサから高周波ＩＣへ受信信号を入力するための信号線がパワーアンプＩＣの近傍に位置することがない。またデュプレクサから高周波ＩＣへ受信信号を入力するための信号線の長さを短くすることができる。これにより、高周波ＩＣの受信回路へのノイズの混入を防止しつつ小型化・高密度化を図ることが容易となる。
【図面の簡単な説明】
【００１７】
【図１】高周波回路モジュールの概略回路図
【図２】第１の実施の形態に係る高周波回路モジュールの上面図
【図３】第１の実施の形態に係る高周波回路モジュールの底面図
【図４】第１の実施の形態に係る高周波回路モジュールの断面図
【図５】第１の実施の形態に係る他の例に係る高周波回路モジュールの上面図
【図６】第２の実施の形態に係る高周波回路モジュールの上面図
【図７】第２の実施の形態に係る高周波回路モジュールの底面図
【図８】第２の実施の形態に係る高周波回路モジュールの断面図
【発明を実施するための形態】
【００１８】
（第１の実施の形態）
本発明の第１の実施の形態に係る高周波回路モジュールについて図面を参照して説明する。図１に高周波回路モジュールの概略回路図を示す。なお本実施の形態では、説明の簡単のため、主として本発明の要旨に係る構成についてのみ説明する。
【００１９】
本実施の形態に係る高周波回路モジュール１００は、２つの周波数帯域に対応した携帯電話で用いられるものである。図１に示すように、高周波回路モジュール１００は、高周波スイッチ１０１と、第１〜第２デュプレクサ１１０，１２０と、送信用の高周波電力増幅器１５１，１５２と、ＲＦＩＣ（Radio Frequency Integrated Circuit）１６０とを備えている。なお実際の回路構成ではマッチング回路や送信信号用のバンドパスフィルタなどを周波数帯域毎に備えているが、説明の簡単のため本実施の形態では省略した。
【００２０】
高周波スイッチ１０１は、第１〜第２デュプレクサ１１０〜１２０と１つの外部アンテナ１０との接続を切り替える。
【００２１】
各デュプレクサ１１０，１２０は、それぞれ送信フィルタ１１２，１２２と受信フィルタ１１４，１２４とを備えている。送信フィルタ１１２，１２２及び受信フィルタ１１４，１２４としては、表面弾性波（ＳＡＷ：Surface Acoustic Wave）フィルタやバルク弾性波（ＢＡＷ：Bulk Acoustic Wave）フィルタなど種々のものを用いることができる。本実施の形態では、ＳＡＷフィルタを用いた。送信フィルタ１１２，１２２は高周波電力増幅器１５１，１５２を介してＲＦＩＣ１６０の送信ポートに接続している。受信フィルタ１１４，１２４はＲＦＩＣ１６０の受信ポートに接続している。高周波電力増幅器１５１と１５２は、１つのパワーアンプＩＣ１５５にパッケージングされている。ＲＦＩＣ１６０は高周波信号の変復調処理や多重化処理などの送信処理及び受信処理を行う。
【００２２】
次に図２乃至図４を参照して高周波回路モジュール１００の構造について説明する。図２は高周波回路モジュールの上面図、図３は高周波回路モジュールの底面図、図４は図２におけるＡ線矢視方向断面図である。
【００２３】
高周波回路モジュール１００は、図２に示すように、回路基板２００の上面にＲＦＩＣ１６０と、第１デュプレクサ１１０と、パワーアンプＩＣ１５５と、高周波スイッチ１０１とが表面実装されている。第１デュプレクサ１１０は、第１送信フィルタ１１２と第１受信フィルタ１１４とが表面実装用の１つのパッケージに収容されている。一方、第２デュプレクサ１２０は、回路基板２００内に埋設されている。ここで第２デュプレクサ１２０は、その構成要素（送信フィルタ・受信フィルタなど）がそれぞれ個別に回路基板２００内に埋設された形態となっている。すなわち第２デュプレクサ１２０は、第１デュプレクサ１１０とは異なりパッケージに収容された形態ではない。
【００２４】
回路基板２００は、絶縁体層と導体層とを交互に積層してなる多層基板である。回路基板２００は、図４に示すように、導電性が良好で且つ比較的厚い金属製の導体層であるコア層２１０と、該コア層２１０の一方の主面（上面）に形成された複数の絶縁体層２２１及び導体層２２２と、コア層２１０の他方の主面（下面）に形成された複数の絶縁体層２３１及び導体層２３２とを備えている。絶縁体層２２１，２３１及び導体層２２２，２３２はコア層２１０の両主面にビルドアップ工法にて形成されたものである。ここでコア層２１０と回路基板２００の一方の主面（上面）との間に位置する導体層２２２のうち２つの層、及び、コア層２１０と回路基板２００の他方の主面（下面）との間に位置する導体層２３２のうち１つの層は、基準電位（グランド）が与えられるグランド導体層２２５，２２６，２３５になっている。グランド導体層２２５，２３５は、コア層２１０に最も近い導体層２２２，２３２であり、それぞれビア導体２４１を介してコア層２１０に接続している。したがってコア層２１０もグランド導体として機能する。また、２つのグランド導体層２２５，２２６の間には導体層２２２が介在しており、該導体層２２２に形成された配線をストリップラインとして機能させることができる。回路基板２００の一方の主面（上面）には部品実装用の導電性のランド２０１や配線２０２が形成されている。また、回路基板２００の他方の主面（下面）の周縁部には、多数の端子電極２０５が形成されている。また、回路基板２００の主面（下面）であって前記端子電極２０５の形成領域よりも内側の領域には、前記端子電極２０５よりも面積が大きい多数のグランド電極２０６が形成されている。ランド２０１には、ＲＦＩＣ１６０、第１デュプレクサ１１０、パワーアンプＩＣ１５５が半田付けされている。
【００２５】
コア層２１０には部品収容用の貫通孔２１１が形成されている。該貫通孔２１１には、第２デュプレクサ１２０を構成する第２送信フィルタ１２２及び第２受信フィルタ１２４が配置されている。したがってコア層２１０は、内蔵する部品の高さよりも厚みが大きいことが好ましい。本実施の形態では、金属板、より詳しくは銅製又は銅合金製の金属板によりコア層２１０を形成している。貫通孔２１１内であって収容部品との隙間には樹脂などの絶縁体が絶縁体層２２１又は２３１と一体となって充填されている。第２送信フィルタ１２２及び第２受信フィルタ１２４の上面には端子電極１２２ａ，１２４ａが形成されている。端子電極１２２ａ，１２４ａはビア導体２４２を介して導体層２２２に接続している。
【００２６】
本発明に係る高周波モジュール１００の特徴的な点は、図２に示すように、第１デュプレクサ１１０及び第２デュプレクサ１２０が、ＲＦＩＣ１６０とパワーアンプＩＣ１５５との間に配置されている点にある。これにより、第１デュプレクサ１１０及び第２デュプレクサ１２０からＲＦＩＣ１６０に入力される受信信号を伝送する信号線１７０の長さを短くすることができるとともに、該信号線１７０へのノイズの混入を極めて小さく抑えることができる。図２の例では、第１デュプレクサ１１０から出力される受信信号は、回路基板２００の上面に形成された信号線１７０を介してＲＦＩＣ１６０に入力される。一方、ＲＦＩＣ１６０から出力される送信信号は、回路基板２００の内層、より詳しくは２つのグランド導体層２２５，２２６の間に介在する導体層２２２に形成された信号線１８０を介してパワーアンプＩＣ１５５に入力される。パワーアンプＩＣから出力される増幅された送信信号は、回路基板２００の上面に形成された信号線１８５を介して第１デュプレクサ１１０に入力される。ここで、パワーアンプＩＣにより増幅された信号を伝送する信号線１８５は、ＲＦＩＣ１６０から出力された増幅前の信号を伝送する信号線１８０より短い点に留意されたい。なお、図２では第２デュプレクサ１２０に入出力される信号線については説明の簡単のため省略した。
【００２７】
また、本発明に係る高周波モジュール１００の他の特徴的な点は、図２及び図３に示すように、パワーアンプＩＣ１５５が回路基板２００の周縁部に実装されている点にある。図３に示すように、パワーアンプＩＣ１５５は、回路基板２００の厚さ方向に投影した投影領域が、前記端子電極２０５の形成領域と重なる位置に実装されている。また図４に示すように、パワーアンプＩＣ１５５のグランド端子１５５ａが回路基板２００のランド２０１に実装されており、該ランド２０１は複数の放熱用のビア導体２４３を介してコア層２１０に接続している。また、コア層２１０は複数の放熱用のビア導体２４４を介して下面のグランド電極２０６に接続している。このような構造により、パワーアンプＩＣ１５５で発生した熱は、ビア導体２４３により回路基板２００の厚み方向に伝導し、コア層２１０に沿って左右方向に伝導する。コア層２１０の熱はビア導体２４４によりグランド電極２０６に伝導し、実装先の親回路基板に放熱される。
【００２８】
このような高周波回路モジュール１００によれば、デュプレクサ１１０，１２０が、ＲＦＩＣ１６０とパワーアンプＩＣ１５５との間に配置されているので、デュプレクサ１１０，１２０からＲＦＩＣ１６０へ受信信号を入力するための信号線がパワーアンプＩＣ１５５の近傍に位置することがない。またデュプレクサ１１０，１２０からＲＦＩＣ１６０へ受信信号を入力するための信号線の長さを短くすることができる。これにより、ＲＦＩＣ１６０の受信回路へのノイズの混入を防止しつつ小型化・高密度化を図ることが容易となる。なおＲＦＩＣ１６０からの出力される送信信号はデュプレクサ１１０，１２０近傍を通過してパワーアンプＩＣ１５５に入力される。しかし当該送信信号は電力増幅前であるためデュプレクサ１１０，１２０や他の回路等への影響は極めて小さい。一方、パワーアンプＩＣ１５５とデュプレクサ１１０，１２０とは隣り合うので電力増幅後の送信信号を伝送する信号線の長さを短くすることができる。これにより電力損失や放射ノイズを小さくすることができる。
【００２９】
また本実施の形態に係る高周波回路モジュール１００では、パワーアンプＩＣ１５５を回路基板２００の周縁部に配置しても、該パワーアンプＩＣで発生する熱を放熱用のビア導体２４３，２４４及びコア層２１０を介して親回路基板に放熱することができる。したがって、ＲＦＩＣ１６０を回路基板の周縁部よりも内側に配置することが可能となる。これにより特にＲＦＩＣ１６０の近傍における部品配置や回路パターンの設計が容易となり、しかも配線長を短くすることができるので高周波特性にも優れたものとなる。
【００３０】
なお上記第１の実施の形態では、ＲＦＩＣ１６０から出力される送信信号は、回路基板２００の内層に形成した信号線１８０を介してパワーアンプＩＣ１５５に入力していたが、図５に示すように、回路基板２００上に形成した信号線１８１を介してパワーアンプＩＣ１５５に入力するようにしてもよい。
【００３１】
（第２の実施の形態）
本発明の第２の実施の形態に係る高周波回路モジュールについて図面を参照して説明する。本実施の形態に係る高周波回路モジュールが第１の実施の形態と相違する点は、ＲＦＩＣ及びパワーアンプＩＣの実装形態にある。その他の点、例えば高周波回路モジュールの概略回路図については第１の実施の形態と同様なので、ここでは主として相違点について詳述する。
【００３２】
図６乃至図８を参照して第２の実施の形態に係る高周波回路モジュール３００の構造について説明する。図６は高周波回路モジュールの上面図、図７は高周波回路モジュールの底面図、図８は図６におけるＡ線矢視方向断面図である。
【００３３】
高周波回路モジュール３００は、図６に示すように、回路基板４００の上面に高周波スイッチ１０１と、第１デュプレクサ１１０とが表面実装されている。第１デュプレクサ１１０は、第１送信フィルタ１１２と第１受信フィルタ１１４とが１つのパッケージに収容された個別部品である。一方、第２デュプレクサ１２０と、ＲＦＩＣ１６０と、パワーアンプＩＣ１５５とは、回路基板４００内に埋設されている。ここで第２デュプレクサ１２０は、第２送信フィルタ１２２と第１受信フィルタ１２４とが表面実装用の１つのパッケージに収容された個別部品である。
【００３４】
回路基板４００は、絶縁体層と導体層とを交互に積層してなる多層基板である。回路基板４００は、図８に示すように、導電性が良好で且つ比較的厚い金属製の導体層であるコア層４１０と、該コア層４１０の一方の主面（上面）に形成された複数の絶縁体層４２１及び導体層４２２と、コア層４１０の他方の主面（下面）に形成された複数の絶縁体層４３１及び導体層４３２とを備えている。絶縁体層４２１，４３１及び導体層４２２，４３２はコア層４１０の両主面にビルドアップ工法にて形成されたものである。ここでコア層４１０は基準電位（グランド）が与えられるグランド導体として機能する。回路基板４００の一方の主面（上面）には部品実装用の導電性のランド４０１や配線４０２が形成されている。また、回路基板４００の他方の主面（下面）の周縁部には、多数の端子電極４０５が形成されている。また、回路基板４００の主面（下面）であって前記端子電極４０５の形成領域よりも内側の領域には、前記端子電極４０５よりも面積が大きい多数のグランド電極４０６が形成されている。ランド４０１には、高周波スイッチ１０１、第１デュプレクサ１１０が半田付けされている。
【００３５】
コア層４１０には部品収容用の貫通孔４１１が形成されている。該貫通孔４１１には、ＲＦＩＣ１６０、第２デュプレクサ１２０、パワーアンプＩＣ１５５が配置されている。したがってコア層４１０は、内蔵する電子部品の高さよりも厚みが大きく且つ曲げ強度が大きいことが好ましい。またコア層４１０は導電性材料からなり、電気的には基準電位（グランド）が与えられる。したがって広義には、コア層４１０を多層回路基板４００の導体層と解釈できる。本実施の形態では、金属板、より詳しくは銅製又は銅合金製の金属板によりコア層４１０を形成している。貫通孔４１１内であって収容部品との隙間には樹脂などの絶縁体が絶縁体層４２１又は４３１と一体となって充填されている。ＲＦＩＣ１６０、第２デュプレクサ１２０、パワーアンプＩＣ１５５の下面には端子電極１６０ａ，１２０ａ，１５５ａが形成されている。端子電極１６０ａ，１２０ａ，１５５ａはビア導体４４２を介して導体層４３２に接続している。
【００３６】
本発明に係る高周波モジュール３００の特徴的な点は第１の実施の形態と同様、図６及び図７に示すように、第１デュプレクサ１１０及び第２デュプレクサ１２０が、ＲＦＩＣ１６０とパワーアンプＩＣ１５５との間に配置されている点にある。これにより、第１デュプレクサ１１０及び第２デュプレクサ１２０からＲＦＩＣ１６０に入力される受信信号を伝送する信号線１７０の長さを短くすることができるとともに、該信号線１７０へのノイズの混入を極めて小さく抑えることができる。図６の例では、第１デュプレクサ１１０から出力される受信信号は、回路基板４００の内層に形成された信号線１７０を介してＲＦＩＣ１６０に入力される。一方、ＲＦＩＣ１６０から出力される送信信号は、回路基板４００の内層に形成された信号線１８０を介してパワーアンプＩＣ１５５に入力される。パワーアンプＩＣ１５５から出力される増幅された送信信号は、回路基板４００の内層に形成された信号線１８５を介して第１デュプレクサ１１０に入力される。ここで、パワーアンプＩＣにより増幅された信号を伝送する信号線１８５は、ＲＦＩＣ１６０から出力された増幅前の信号を伝送する信号線１８０より短い点に留意されたい。なお、図６では第２デュプレクサ１２０に入出力される信号線については説明の簡単のため省略した。
【００３７】
また本実施の形態では、図６及び図７に示すように、ＲＦＩＣ１６０は高周波スイッチ１０１を回路基板４００の厚み方向に投影した領域と少なくとも一部が重なるような位置に配置されている。また、第１デュプレクサ１１０は第２デュプレクサ１２０を回路基板４００の厚み方向に投影した領域と少なくとも一部が重なるような位置に配置されている。このように、部品同士が重なるように配置されているので、基板厚み方向の投影エリアにおいて実装密度が向上し、これにより小型化が可能になる。また、高周波スイッチ１０１、各デュプレクサ１１０，１２０、パワーアンプＩＣ１５５、ＲＦＩＣ１６０間を接続する各種信号線の距離を短くすることが可能なので、信号の損失やノイズの侵入等を抑えている。
【００３８】
パワーアンプＩＣ１５５は、図７に示すように、回路基板４００の厚さ方向に投影した投影領域が、前記グランド電極４０６の形成領域と重なる位置に実装されている。また図８に示すように、パワーアンプＩＣ１５５の放熱用電極を兼用するグランド端子１５５ｂは、複数の放熱用のビア導体４４３を介して回路基板４００の下面のグランド電極４０６に接続している。このような構造により、パワーアンプＩＣ１５５で発生した熱は、ビア導体４４３によりグランド電極４０６に伝導し、実装先の親回路基板に放熱される。
【００３９】
このような高周波回路モジュール３００によれば、デュプレクサ１１０，１２０が、ＲＦＩＣ１６０とパワーアンプＩＣ１５５との間に配置されているので、デュプレクサ１１０，１２０からＲＦＩＣ１６０へ受信信号を入力するための信号線がパワーアンプＩＣ１５５の近傍に位置することがない。またデュプレクサ１１０，１２０からＲＦＩＣ１６０へ受信信号を入力するための信号線の長さを短くすることができる。これにより、ＲＦＩＣ１６０の受信回路へのノイズの混入を防止しつつ小型化・高密度化を図ることが容易となる。なおＲＦＩＣ１６０からの出力される送信信号はデュプレクサ１１０，１２０近傍を通過してパワーアンプＩＣ１５５に入力される。しかし当該送信信号は電力増幅前であるためデュプレクサ１１０，１２０や他の回路等への影響は極めて小さい。一方、パワーアンプＩＣ１５５とデュプレクサ１１０，１２０とは隣り合うので電力増幅後の送信信号を伝送する信号線の長さを短くすることができる。これにより電力損失や放射ノイズを小さくすることができる。
【００４０】
また本実施の形態に係る高周波回路モジュール３００では、パワーアンプＩＣ１５５が回路基板４００に埋設されているので、パワーアンプＩＣ１５５の放熱用電極１５５ｂと回路基板４００のグランド電極４０６との距離を小さくすることができる。これによりパワーアンプＩＣ１５５の放熱効率が向上する。
【００４１】
以上本発明の実施の形態について詳述したが本発明はこれに限定されるものではない。例えば、上記第１の実施の形態ではＲＦＩＣ１６０及びパワーアンプＩＣ１５５の双方を回路基板２００上に実装し、第２の実施の形態ではＲＦＩＣ１６０及びパワーアンプＩＣ１５５の双方を回路基板４００内に埋設したが、ＲＦＩＣ１６０は回路基板上に実装しパワーアンプＩＣ１５５は回路基板内に埋設する形態であっても、ＲＦＩＣ１６０は回路基板内に埋設しパワーアンプＩＣ１５５は回路基板上に実装する形態であってもよい。なお、各形態において、デュプレクサ１１０，１２０や高周波スイッチ１０１を回路基板上に実装するか或いは埋設するかは不問である。
【００４２】
また上記各実施の形態におけるＲＦＩＣ１６０、パワーアンプＩＣ１５５、デュプレクサ１１０，１２０の間の配線についての実装構造は本願発明の一例を示すものにすぎず、高周波回路モジュールの仕様等に応じて回路基板上に配線を形成するか又は内層に形成するかは任意とすることができる。
【００４３】
また上記第１の実施の形態では第２デュプレクサ１２０を回路基板２００に埋設する形態としてそれぞれ個別部品であるフィルタ１２２，１２４を埋設し、一方第２の実施の形態ではフィルタ１２２，１２４がパッケージングされた個別部品として第２デュプレクサ１２０を回路基板４００に埋設したように、デュプレクサ１１０，１２０の実装形態は不問である。
【００４４】
また上記各実施の形態では、２つの高周波電力増幅器１５１，１５２を内蔵したパワーアンプＩＣ１５５を１つ用いたが、パワーアンプＩＣ１５５に内蔵される増幅器の回路数や、パワーアンプＩＣ１５５自体の個数は不問である。図１の回路を実装する他の例としては、高周波電力増幅器１５１，１５２にそれぞれ対応して２つのパワーアンプＩＣを回路基板２００に実装するものが挙げられる。この場合、双方のパワーアンプＩＣを回路基板２００の上面に実装してもよいし、双方のパワーアンプＩＣを回路基板２００内に埋設してもよい。さらに、一方のパワーアンプＩＣを回路基板２００の上面に実装し、他方のパワーアンプＩＣを回路基板２００内に埋設するようにしてもよい。
【００４５】
また上記各実施の形態では、コア層２１０，４１０に貫通孔２１１，４１１を形成し、該貫通孔２１１，４１１にフィルタ、ＲＦＩＣ、パワーアンプＩＣなどの電子部品を配置するようにしたが、貫通孔２１１，４１１ではなく凹部をコア層２１０，４１０に形成し、該凹部に各電子部品を配置するようにしてもよい。
【００４６】
また上記各実施の形態では、コア層２１０，４１０の材質として銅又は銅合金を例示したが、他の金属又は合金や樹脂など材質は不問である。またコア層２１０，４１０の導電性の有無についても不問である。さらに上記実施の形態では、回路基板２００，４００として比較的厚みのあるコア層２１０，４１０を備えたものを例示したが、コア層２１０，４１０のない多層回路基板であってもよい。
【００４７】
また上記各実施の形態では、回路基板２００，４００の上面には各種部品が実装された状態で露出しているが、回路基板２００，４００の上面の全面又は一部を覆うようにケースを装着したり樹脂等で封止するようにしてもよい。
【符号の説明】
【００４８】
１０…アンテナ、１００，３００…高周波回路モジュール、１０１…高周波スイッチ、１１０，１２０…デュプレクサ、１１２，１２２…送信フィルタ、１１４，１２４…受信フィルタ、１５５…パワーアンプＩＣ、１６０…ＲＦＩＣ、２００，４００…回路基板、２０１，４０１…ランド、２０５，４０５…端子電極、２０６，４０６…グランド電極、２１０，４１０…コア層、２１１，４１１…貫通孔、２２５，２２６，２３５…グランド導体層、２４３，２４４，４４２，４４３…ビア導体
【要約】
【課題】実装密度が高い高周波回路モジュールを提供する。
【解決手段】高周波回路モジュール１００は、高周波信号の送信処理及び受信処理を行うＲＦＩＣ１６０と、該ＲＦＩＣ１６０からの送信信号を増幅するパワーアンプＩＣ１５５と、パワーアンプＩＣ１５５からアンテナへ出力される送信信号とアンテナからＲＦＩＣ１６０に入力される受信信号とを分離するデュプレクサ１１０，１２０とを備え、ＲＦＩＣ１６０及びパワーアンプＩＣ１５５の何れか一方又は双方は回路基板２００内に埋設され、且つ、デュプレクサ１１０，１２０はＲＦＩＣ１６０とパワーアンプＩＣ１５５との間に配置されている。
【選択図】図６【図１】
0005422078.tif 000002
【図２】
0005422078.tif 000003
【図３】
0005422078.tif 000004
【図４】
0005422078.tif 000005
【図５】
0005422078.tif 000006
【図６】
0005422078.tif 000007
【図７】
0005422078.tif 000008
【図８】
0005422078.tif 000009